(57)【要約】【課題】リール脚載置面における両側端縁の形状に改善を施すことによって、指を回し易く握り易い筒状リールシートを提供する。【解決手段】リールシート本体５Ａにリール脚３Ａを保持する一対のフード６,７とリール脚３Ａを載置するリール脚載置面５Ｃを設ける。リール脚載置面５Ｃにおける両側端縁を、一対のフード６,７の中間に位置する部分程、互いに近接する状態に凹入する湾曲形状に形成する。凹入する湾曲形状に形成された両側端縁から左右の横側面に、側端縁６,７から周方向において離れる程竿元側に偏位する凹入面５ｃ,６ｅを形成してある。【選択図】図３
2011067122.tif 000002
【特許請求の範囲】
【請求項１】
リールシート本体にリール脚を保持する一対のフードとリール脚を載置するリール脚載置面を設け、前記リール脚載置面における両側端縁を、前記一対のフードの中間に位置する部分程、互いに近接する状態に凹入する湾曲形状に形成し、前記凹入する湾曲形状に形成された前記両側端縁から左右の横側面に、前記凹入する湾曲形状を維持しながら周方向に延びるとともに前記側端縁から周方向に離れる程竿元側に偏位する凹入面を形成してある筒状リールシート。
【請求項２】
前記凹入面は、前記側端縁の湾曲形状に段差なく繋がる湾曲状でかつその側端縁から離れる程徐々に浅くなり、竿元側端位置でリールシート本体と段差なく繋がる形状に形成してある請求項１記載のリールシート。
【発明の詳細な説明】
【技術分野】
【０００１】
本発明は、リールシート本体にリールの脚部を保持する一対のフードとリール脚を載置するリール脚載置面を設けてある筒状リールシートに関する。
【背景技術】
【０００２】
リール脚載置面における両側端縁は、竿先側から竿元側に至る程細くなる状態に形成されており、かつ、その両側端縁に繋がる横側面にはリールシート本体の外周面と同一の外径を有する円弧面に形成されていた（特許文献１参照）。
【先行技術文献】
【特許文献】
【０００３】
【特許文献１】特開２００６−２５６８３号公報（公報段落番号〔００３２〕〔００３３〕、及び、図６図７）
【発明の開示】
【発明が解決しようとする課題】
【０００４】
しかし、上記した構成においては、リール脚とリールシートとを共握りした釣竿を保持する際に、ルール脚を越えて反対側の横側面に至る中指や薬指が、リールシート本体の外径と同じ外径を呈する大径部分に掛ることとなって、指の回り込みが十分ではなく、握り難い構成となっていた。
その一方、握り易い形状とした場合には、リール脚の形状が種々あることから、またリール脚の形状が変形（ひずみ）等している場合も多いことから、リールを取り付けた際はガタが発生し、強固にリールシート部に取付けられないという問題があった。
【０００５】
本発明の目的は、リール脚載置面における両側端縁の形状に改善を施すことによって、指を回し易く握り易い筒状リールシートを提供する点にある。
【課題を解決するための手段】
【０００６】
〔構成〕
請求項１に係る発明の特徴構成は、リールシート本体にリール脚を保持する一対のフードとリール脚を載置するリール脚載置面を設け、前記リール脚載置面における両側端縁を、前記一対のフードの中間に位置する部分程、互いに近接する状態に凹入する湾曲形状に形成し、前記凹入する湾曲形状に形成された前記両側端縁から左右の横側面に、前記凹入する湾曲形状を維持しながら周方向に延びるとともに前記側端縁から周方向に離れる程竿元側に偏位する凹入面を形成してある点にあり、その作用効果は次の通りである。
【０００７】
〔作用効果〕
リール脚載置面の両側端縁が前記一対のフードの中間に位置する部分程互いに近接する凹入湾曲形状に形成してあるので、リール脚面を越えて反対側の側端縁まで回した中指等が、容易に凹入面まで達して握りやすくなっている。
しかも、凹入面は、前記側端縁から周方向に離れる程竿元側に偏位する状態で設けてあるので、凹入面に達した中指等の指の向きと一致するものとなり、指自体が痛みや圧迫感を感じることが少ない。
そして、側端縁及び凹入面ともに、中間部分が凹入する凹入面及び湾曲面に形成してあるので、その部分にあてがわれた指が動き難く安定しているので、リール脚を握る手指に過重な負担が掛らない。
【０００８】
〔構成〕
請求項２に係る発明の特徴構成は、前記凹入面は、前記側端縁の湾曲形状に段差なく繋がる湾曲状でかつその側端縁から離れる程徐々に浅くなり、竿元側端位置でリールシート本体と段差なく繋がる形状に形成してある点にあり、その作用効果は次の通りである。
【０００９】
〔作用効果〕
凹入面は中指等の指が載置される側端縁に近い部分では側端縁と同様の湾曲形状を維持して、載置される指の安定度を確保しながら、側端縁より離れる部分では指が届かい部分であるので、徐々に浅くしリールシート本体と段差なく繋がる形状に形成してある。そして、指が回されている両横側面の一方側とは竿軸心を挟んで反対側の横側面では、リールシートとリール脚とを共握りする手の掌がこの凹入面にあてがわれることとなり、その部分が徐々に浅くしてリールシート本体と段差なく繋がる形状に形成してあるので、手の掌にも圧迫感を与えることが少なく、長時間握っても疲れ難いリールシートを提供できるに至った。
【図面の簡単な説明】
【００１０】
【図１】元竿のリールシートにスピンニングリールを取り付けた状態を示す側面図である。
【図２】可動フード及び受止体を取付ていないリールシートを示す平面図である。
【図３】リールシートの左側面を示す側面図である。
【図４】リールシートの前後リール脚載置面と竿軸線を挟んで１８０度反対側に位置する裏面膨出部を示す下面図である。
【図５】図４におけるＩ―Ｉ線断面図である。
【図６】可動フードを取り付けず、かつ、受止体を取り外した状態を示す斜視図である。
【図７】（ａ）受止体を取付台に装着する前の状態を示す縦断背面図、（ｂ）受止体を取付台に装着した状態を示す縦断背面図、（ｃ）受止体を取付台に装着した状態を示す横断平面図である。
【図８】（ａ）受止体を示す縦断側面図、（ｂ）受止体の内部を下から見た状態を示す下面図である。
【図９】ロック機構を備えた可動フードを取り付けた状態を示す斜視図である。
【図１０】（ａ）可動フードのロック構造において、ロック状態を解除している状態を示す縦断側面図、（ｂ）可動フードのロック構造において、ロック状態を示す縦断側面図である。
【発明を実施するための形態】
【００１１】
海釣り、磯釣り等に使用される釣り竿１について説明する。
釣り竿１は、釣竿用竿体としての元竿２、複数の中竿、穂先竿とを夫々糸ガイドを備えて振出式の釣り竿に構成してあり、図１に示すように、元竿２の中間部にリール３を取り付けるリールシート５を外嵌装着してある。
【００１２】
元竿２等は、基本的には、ガラス繊維かカーボン繊維等の強化繊維にエポキシ等の熱硬化性樹脂を含浸させて形成したプリプレグをマンドレルに巻回して筒状に形成し、その筒状に形成した竿素材を焼成して形成されている。
【００１３】
リールシート５の構成について説明する。
図１及び図２に示すように、リールシート５は、ポリエチレン・テレフタレート（ＰＥＴ）やＡＢＳ樹脂等のエンジニアリング樹脂をインジェクションによって成形されている。リール３のリール脚３Ａを取り付ける表側には、固定フード（竿先側フード）６がリールシート本体５Ａと一体形成されており、固定フード６の竿尻側には金属製の可動フード（竿尻側フード）７が竿芯方向にスライド移動自在に装着されている。
【００１４】
リールシート本体５Ａにおけるリール脚載置面部分の構成について説明する。図２及び図３に示すように、固定フード６の脚挿入開口６ａに対応する部分から可動フード側に向けて一定の横幅を備え、後端部で円弧状を呈する浅い凹入溝５Ｂを形成し、その凹入溝５Ｂの底面に長方形状の凹入部５ｂを形成してある。
長方形状の凹入部５ｂは、型番を記したラベル（シール）や竿のネーミングを記した銘板等の薄板状部材Ｌを貼付する部分であり、竿先側に位置する前端は、固定フード６の内部空間内に入り込む状態に形成してある。薄板状部材Ｌの厚みは、凹入部５ｂの底面に貼付した状態で凹入部５ｂの上端より突出しない程度に形成されている。
このように、リール脚載置面５Ｃより一段凹入する状態でかつ固定フード６の内部空間内まで延出してあるので、銘板等が凹入部５ｂより突出することがなく、剥がれ難く、かつ、装飾性も高い。
【００１５】
凹入溝５Ｂの左右両側には、リール脚３Ａから前方に向けて延出された前足部を支持する前リール脚載置面５Ｃが形成してある。前リール脚載置面５Ｃの両側端縁は、平面視において、長方形状の凹入部５ｂの後端に対応する位置で最も近接する状態にあり、その後端より竿先側及び竿元側に位置する程互いに遠ざかる状態となるように、湾曲形成されている。このような構成によって、前リール脚載置面５Ｃは、固定フード６に近接する竿先側端から竿元側に位置する程側端縁が竿軸線Ｘ側に絞り込まれる状態となり、長方形状の凹入部５ｂの後端に対応する中間部分５ｊが最も横幅が狭くなり、その横幅の狭い中間部分５ｊから竿先側及び竿元側に位置する程横側方に広がる形状に形成されている。
【００１６】
したがって、リール脚３Ａとリールシート５を共握りする際に、前リール脚載置面５Ｃの側端縁が絞り込まれているので、横幅が狭いだけに握りやすくかつ竿先側及び竿元側程広がっているので握った手が竿先側や竿元側に動き難く安定した握りを確保できるようになっている。
なお、凹入溝５Ｂの左右端においては、前リール脚載置面５Ｃから凹入溝５Ｂ内に入り込む傾斜面５ｄが形成されている。また、前リール脚載置面５Ｃは、固定フード側から可動フード側に近づく程やや下り傾斜する状態に形成してある。
【００１７】
図２及び図３に示すように、凹入溝５Ｂの後端より竿元側には、リール脚３Ａの竿元側に延出された後足部を支持する後リール脚載置面５Ｄが形成されている。後リール脚載置面５Ｄは、前リール脚載置面５Ｃより若干高く（竿軸線からの径方向間隔が大きい）位置する状態に形成してあり、略平坦面に形成されている。後リール脚載置面５Ｄの左右中心位置には、中心凹入溝５Ｅが形成してあり、固定フード６に近接する側に円弧状の前端５ｇが形成されている。中心凹入溝５Ｅは、前端５ｇが位置する側においては、比較的浅い底部５ｅに形成されており、浅い底部５ｅの竿元側にはやや深い底部５ｆが形成されている。
この中心凹入溝５Ｅには、後記する鋸歯状の受止歯８が嵌めこみ固定される。
【００１８】
後リール脚載置面５Ｄは、左右端に向う程僅かに下向き傾斜状態に形成されており、竿先側の前端部の左右中心位置が僅かに高くなっている。後リール脚載置面５Ｄの前端５ｇは竿先側に突出する円弧状に形成してあり、その前端５ｇに下方側程前方に位置する傾斜面５ｉを形成してある。後リール脚載置面５Ｄの横側面には、内向きのガイド溝５ｈが形成してあり、可動フード７の前後移動を案内すべく構成してある。
上記の如く、前リール脚載置面５Ｃ及び後リール脚載置面５Ｄが形成されているので、リール脚の種々形状であっても、また、多少リール脚の形状が変形しているようなものであっても、リールはガタなく強固にリールシート部に取付られる。
【００１９】
次に、リールシート本体５Ａの横側面に形成されているウエイブ（指当て）構造について説明する。図２〜図４、図６及び図９に示すように、前リール脚載置面５Ｃにおける左右方向における両側端縁は、平面視で竿軸線に近接するように凹入する湾曲形状に形成されており、その両側端縁から左右の横側面にかけて、側端縁から周方向に離れる程竿元側に偏位する凹入面を形成してある。
【００２０】
この凹入面の構成について詳述すると、凹入面は、前リール脚載置面５Ｃの側端縁より周方向に沿ってその側端縁の湾曲形状を維持しながら側端縁から周方向に離れる程竿元側に偏位するように凹入形成されている第１凹入面５ｃと、この第１凹入面５ｃに連続する状態で略軸線方向に沿った姿勢で延出されている第２凹入面６ｅとで構成される。
【００２１】
前記した両側端縁より側面視で上方に位置する固定フード６においては、その脚挿入開口６ａの開口縁６ｂを下方程竿元側に下り傾斜する状態に形成してある。そして、その開口縁６ｂは、第１凹入面５ｃと第２凹入面６ｅの下端縁を形成する下突出縁６ｃに繋がっている。その下突出縁６ｃは、側面視において側端縁から離れる下方に位置する程竿元側に偏位する円弧状に形成され、徐々に終端位置で水平状態に切り換わるように形成されている。
【００２２】
一方、第１凹入面５ｃと第２凹入面６ｅを挟んで下突出縁６ｃの上方には、凹入面の上端位置を現出する上突出縁６ｄが形成してあり、この上突出縁６ｄは、前リール脚載置面５Ｃの側端縁における竿元側端から、下突出縁６ｃに対して略一定の間隔を維持しながら、緩やかに後方水平状態に向けて湾曲するように形成してある。
【００２３】
上下突出縁６ｃ、６ｄの間の凹入面は、前リール脚載置面５Ｃの両側端縁が呈する凹入形状を維持するように、上下突出縁６ｃ、６ｄの中間部程凹入深さを僅かに深くしながら、中間部の凹入深さを竿元側の水平域に向けて徐々に浅くなるようにウエイブ構造を形成し、後リール脚載置面５Ｄの竿元端に対応する位置でリールシート本体５Ａの外周面に段差なく連なっている。
同様に、上突出縁６ｄと後リール脚載置面５Ｄの横側縁との間の部分６ｆも両者の間の中間部程凹入深さを僅かに深くするウエイブ構造に形成されている。
【００２４】
このような構造によって、次のようなことが言える。図１で示すように、リールシート５とリール脚３Ａとを共握りする手指の内、中指の先端が凹入面にあてがわれることとなって、中指の握り状態が安定する。一方、上突出縁６ｄと後リール脚載置面５Ｄの横側縁との間の部分６ｆには、薬指があてがわれることとなり、薬指の載置状態が安定する。
【００２５】
図３〜図５に示すように、リールシート５の前リール脚載置面５Ｃと後リール脚載置面５Ｄとを形成している面に対して竿軸線Ｘを挟んで１８０度反対側の面には、裏面膨出部５Ｈが形成されている。裏面膨出部５Ｈは、側面視において山形状を呈しかつ裏面視において略菱形状を呈する細溝５ｒによって区画されている。
この裏面膨出部５Ｈにおいては表面に、弾性の高いゴム系の塗料が施されて、リール脚３Ａとリールシート５とを共握りした場合に、手の掌がこの裏面膨出部５Ｈにあてがわれることとなり、裏面膨出部５Ｈが握り易く手に圧迫感を受け難い握り心地を与えるものである。
【００２６】
次に、可動フード７に対する受止体９についての取付構造について説明する。図１に示すように、受止体９は、可動フード７より後方の竿元側に取付られて、可動フード７を所定位置に装着する場合には取り外され、装着後は所定位置に取付られて可動フード７の抜け出しを抑制する。
【００２７】
受止体９の取付構造は、次のようになっている。図２及び図３、図６から図９に示すように、後リール脚載置面５Ｄの竿元側に着脱部位としての凹入着脱部５Ｆが形成されており、この凹入着脱部５Ｆは、平面視で後端側程横幅を狭める半楕円状に形成してある。図６に示すように、凹入着脱部５Ｆの底面５ｋには、平面視十字状を呈する取付台５Ｇが立設してあり、この取付台５Ｇに対して上方側から受止体９を差し込むように構成してある。
【００２８】
図２及び図３に示すように、取付台５Ｇは、竿先側に横向きの板状の第２受止部としての「前受止部５ｍを立設するとともに、前受止部５ｍの竿元側に同じく横向き板状の第１受止部としての後受止部５ｎが立設してある。前受止部５ｍの横幅が後受止部５ｎより広く、高さが高い。前受止部５ｍと後受止部５ｎとは、竿軸線Ｘ方向に沿った板状繋ぎ部によって一体的に連結されて、構成されている。
【００２９】
図７（ａ）に示すように、前受止部５ｍの横側面には、上端部分に横向きに張り出す引っ掛け係止部５ｐが形成されており、後記するように、受止体９の上方への抜け出しを防止すべく構成する。引っ掛け係止部５ｐの上方には、上端角部を円弧状に形成した誘導ガイド面５ｑが設けてあり、受止体９の取付台５Ｇへの取付易さを確保している。
【００３０】
次に、受止体９の構成について説明する。図７及び図８に示すように、受止体９は、本体部分９Ａの断面が略チャンネル状を呈しており、竿元側に位置することとなる後端部分で左右の側壁部分９Ｂがその下端縁９ｂを円弧状に形成して、図８（ａ）に示すように、その下端縁９ｂが後端側程上方に位置するように上向き円弧状に形成してある。本体部分９Ａの天井部９ａは略平板面であるが、後端側においてやや下向きに傾斜した状態に形成されている。
【００３１】
図８（ａ）（ｂ）に示すように、本体部分９Ａの内面には、取付台５Ｇの前後受止部５ｍ,５ｎに係合する前後に位置する第２突起としての前係合突起９Ｃと第１突起としての後係合突起９Ｄが形成してある。本体部分９Ａの内周面は、左右の中心部に上向きにやや円弧状を呈する中央面９ｃと、その中央面９ｃを囲むように第１傾斜面９ｄが形成されており、第１傾斜面９ｄを更に囲むように、第１傾斜面９ｄより傾斜が緩やかな第２傾斜面９ｅが形成してある。
【００３２】
第１傾斜面９ｄにおける左右部分に、夫々、前係合突起９Ｃが形成されている。前係合突起９Ｃは前後向き姿勢の板状体であり、内側側面の下端部分に下端側程内側から外側に傾斜する傾斜誘導面９ｆを形成してある。前係合突起９Ｃの上端面９ｇは直線水平面に形成してある。後突起９Ｄは、中央面９ｃと第１傾斜面９ｄとの境界に跨るように形成されており、横向きに長くなる板状を呈している。
【００３３】
以上のような構成によって、受止体９を着脱部位に設けた取付台５Ｇに装着して構成する規制機構について説明する。受止体９を装着するには、図７（ａ）に示す状態から所定位置において下方に押し込むと、前係合突起９Ｃが前受止部５ｍの誘導ガイド面５ｑに当接しながらその傾斜構造に誘導され、引っ掛け係止部５ｐの下方に回り込んで、その引っ掛け係止部５ｐに係合する。このような装着構造は、受止体９が弾性変形可能な構造を採っているからである。
ここに、前係合突起９Ｃと前受止部５ｍとで係合規制機構を構成する。
一方、後突起９Ｄは後受止部５ｎの竿先側に挿入され、後受止部５ｎに対して前方側から当接して、受止体９が竿元側に抜け出すことを防止する構成を採っている。
ここに、後突起９Ｄと後受止部５ｎとで当接規制機構を構成する。
【００３４】
可動フード７の取付構造について説明する。図９及び図１０に示すように、可動フード７は、断面チャンネル状の本体部７Ａと本体部７Ａの後端部に一体形成されている左右一対のドーム型軸受け部７Ｂとを備えるとともに、本体部７Ａ内の天井面に柔軟材製のリール脚保持体７Ｃと、リール脚保持体７Ｃの後端部に片持ち支持されるロック片７Ｄと、左右一対のドーム型軸受け部７Ｂに揺動自在に支持されているロック操作具７Ｅとで構成されている。
【００３５】
本体部７Ａの左右側壁部７ａの下端には本体部７Ａの内側に向けて折り返えされた係合片７ｂが形成してあり、この係合片７ｂをリールシート５の両側面に形成したガイド溝５ｈに係合させて、係合片７ｂがガイド溝５ｈに沿って移動するように、可動ガイド７を竿軸線Ｘ方向に沿ってスライド移動可能に構成してある。ここに、ガイド溝５ｈと係合片７ｂとで、可動ガイド７をスライド移動可能にガイドするガイド機構を構成する。
【００３６】
可動フード７のリール脚保持状態を維持するロック機構Ｒについて説明する。図１０（ｂ）に示すように、前記したリール脚保持体７Ｃより後方に向けてロック片７Ｄが片持ち状態で延出されている点について言及した。このロック片７Ｄは、バネ板材等の板材で形成されており、弾性復元変形力が高く、かつ、先端側においてドーム状の係止部７ｄが形成されている。
一方、リールシート５における中心凹入溝５Ｅには、鋸歯状の受止歯８が嵌めこみ固定される点について言及した。この受止歯８の歯部８ａに対してロック片７Ｄの係止部７ｄの先端が係合して、可動フード７が竿元側に移動することを阻止すべく構成してある。
【００３７】
ロック操作具７Ｅは、左右一対のドーム型軸受け部７Ｂに上下揺動自在に支持された部分より前方に向けて摘み操作部７ｅが延出してあり、摘み操作部７ｅの基端部にドーム型軸受け部７Ｂに支持される支持片（図示せず）とともにロック片７Ｄに作用する作用部７ｆを形成してある。
図１０（ｂ）に示すように、作用部７ｆでロック片７Ｄのドーム状の係止部７ｄを押さえることによって、ロック片７Ｄのドーム状の係止部７ｄを受止歯８の歯部８ａに対して係合させることができる。
【００３８】
図１０（ａ）に示すように、ロック操作具７Ｅを起こしてロック状態を解除した状態で摘み操作部７ｅを持って、図１０（ｂ）に示すように、ロック操作具７Ｅを倒して可動フード７の本体部７Ａに被せると、前記したように、摘み操作部７eの作用部７ｆがロック片７Ｄのドーム状の係止部７ｄを係合させてロック状態を現出する。
【００３９】
ロック操作具７Ｅの摘み操作部７ｅは板状部材をチャンネル状に屈曲形成したものであり、左右の横側辺部７ｇを指で摘むことによって、揺動操作が可能である。そこで、横側辺部７ｇを摘み易くする為に、図９で示す横側辺部７ｇの下端部に、ショットピーニングによる滑り止め機構ａを施してある。滑り止め機構ａとしては、梨地処理を施してもよい。
このような構成によって、撒餌の付いた指で摘むことがあっても滑り難く揺動操作が行いやすい。
【００４０】
〔別実施の形態〕
（１）  凹入部６ｅとしては、側面視で円弧状を呈する形状に形成されている必要はなく、側面視で下端側に位置する程竿元側に位置する状態に形成してあればよい。
（２）  凹入部６ｅの上下突出縁６ｃ、６ｄの間の部分が終端位置で徐々に浅くなる必要はなく、一定の深さを維持する構成を採ってもよい。
（３）  本発明の実施形態においては、凹入面６ｅを形成してあればよく、
（イ）  受止体９の凹入装着部５Ｆに対する着脱構造、
（ロ）  リールシート本体５Ａのリール脚載置面５Ｃにおける銘板Ｌ取付用凹部５ｂを形成した構造
（ハ）  ロック片７Ｅへの滑り止め構造
については、適宜選択して実施することが可能である。
【産業上の利用可能性】
【００４１】
本発明は、筒状リールシートを備える磯竿や船竿に適用することができる。
【符号の説明】
【００４２】
３Ａ          リール脚
５Ａ          リールシート本体
５Ｃ          前リール脚載置面（リール脚載置面）
５ｃ          第１凹入面（凹入面）
６            固定フード（フード）
６ｅ          第２凹入面（凹入面）
７            可動フード（フード）
【図１】
2011067122.tif 000003
【図２】
2011067122.tif 000004
【図３】
2011067122.tif 000005
【図４】
2011067122.tif 000006
【図５】
2011067122.tif 000007
【図６】
2011067122.tif 000008
【図７】
2011067122.tif 000009
【図８】
2011067122.tif 000010
【図９】
2011067122.tif 000011
【図１０】
2011067122.tif 000012